(57)【要約】【課題】固定障子１２を窓部に効果的に固定するための連窓又は段窓における嵌め殺し窓構造。【解決手段】左右又は上下に連続的に窓枠を設け、これらの一部の窓部を開閉窓とし、他の窓部を嵌め殺し窓とした連窓又は段窓において、嵌め殺し窓ｂに装着される固定障子１２の周囲には上下框７、８と左右縦框９とを框組みし、上記固定障子１２を上記嵌め殺し窓ｂの内側に収納するときに、固定障子１２の下框８と縦框９とをそれぞれ嵌め殺し窓の下枠と縦枠に上から下に係合するとともに、固定障子と嵌め殺し窓との間には、固定障子が上方に移動するのを阻止する移動阻止手段を設けた。【選択図】        図１
2004183288.tif 000002
【特許請求の範囲】
【請求項１】
左右又は上下に連続的に窓枠を設け、これらの一部の窓部を開閉窓とし、他の窓部を嵌め殺し窓とした連窓又は段窓において、嵌め殺し窓に装着される固定障子の周囲には上下框と左右縦框とを框組みし、上記固定障子を上記嵌め殺し窓の内側に収納するときに、固定障子の下框と縦框とをそれぞれ嵌め殺し窓の下枠と縦枠に対し上から下に係合するとともに、固定障子と嵌め殺し窓との間には、固定障子が上方に移動するのを阻止する移動阻止手段を設けたことを特徴とする連窓又は段窓における嵌め殺し窓構造。
【請求項２】
前記固定障子の下框には下方に突出する係合凸部を形成し、前記嵌め殺し窓の下枠には上記固定障子の凸部に対応する位置に係合溝を形成するとともに、上記固定障子を上記嵌め殺し窓の内側に収納するときに、上記下框の係合凸部を下枠の係合溝に係合させた、請求項１記載の連窓又は段窓における嵌め殺し窓構造。
【請求項３】
前記固定障子の縦框には外方に突出する突軸を形成し、前記縦枠には、上記固定障子の突軸に対応する位置に突部を形成するとともに、上記固定障子を上記嵌め殺し窓の内側に収納するときに、上記縦框の突軸を上記縦枠の突部の内側に係合させた、請求項１記載の連窓又は段窓における嵌め殺し窓構造。
【請求項４】
前記固定障子の下框には係合溝を形成し、前記嵌め殺し窓の下枠には上記固定障子の係合溝に対応する位置に下方に突出する係合凸部を形成するとともに、上記固定障子を上記嵌め殺し窓の内側に収納するときに、上記下框の係合溝に上記下枠の凸部を係合させた、請求項１記載の連窓又は段窓における嵌め殺し窓構造。
【請求項５】
前記固定障子の縦框には突部を形成し、前記縦枠には、上記固定障子の突部に対応する位置に外方に突出する突軸を形成するとともに、上記固定障子を上記嵌め殺し窓の内側に収納するときに、上記縦框の突部を上記縦枠の突軸の内側に係合させた、請求項１記載の連窓又は段窓における嵌め殺し窓構造。
【発明の詳細な説明】
【０００１】
【発明の属する技術分野】
本発明は、左右又は上下に連続的に設けられた窓枠の一部を開閉窓とし、他の一部を嵌め殺し窓とした連窓又は段窓における嵌め殺し窓構造に関する。
【０００２】
【従来技術】
一般に、この種の連窓又は段窓は、左右又は上下に複数の窓が連続しているが、全ての窓部を開閉可能にしたり嵌め殺しにしたりすることは少ない。通常は一部を開閉窓とし、他を嵌め殺しにすることが行なわれている。つまり、例えば、２段の段窓の場合は上部窓を開閉窓として構成するときは、下部窓を嵌め殺しとし、また４連窓の場合は、中央部の２つの窓を嵌め殺しとし、両側の窓を開閉窓とする例が多い。
【０００３】
ところで、通常の場合、開閉窓においては、ガラスなどのパネルはその周囲を框材によって框組みするが、嵌め殺し窓の場合は、ガラスなどのパネルはその周縁を直接に窓枠の内周面に形成された嵌合溝に嵌合固定するのが一般的である。したがって、連窓又は段窓において、窓枠の一部を開閉窓とし、他を嵌め殺し窓とした場合、開閉窓のパネルは框組みされているが、嵌め殺し窓のパネルは框組みされていなかった。このように窓が連続する方式では、開閉か嵌め殺しかによって框があったりなかったりするので、身幅方向の寸法に大小ができる。したがって、従来の連窓又は段窓は、外観的にはアンバランスで、仕上がり感に欠け、意匠性に劣るという問題があった。
【０００４】
このような外観的アンバランスを解消するためには、固定障子も框組みすることにより、開閉窓と嵌め殺し窓が連続しても、外観的にバランスがとれ、意匠性も向上すると考えられている。
【０００５】
【発明が解決しようとする課題】
しかしながら、框組みした固定障子をどのようにして嵌め殺し窓の窓枠に固定できるかについては、有効な固定方式は提案されていない。
【０００６】
本発明は上記事情に鑑み、固定障子を窓部に効果的に固定するための連窓又は段窓における嵌め殺し窓構造を提供することをその課題とする。
【０００７】
【課題を解決するための手段】
前記課題を解決するため、本発明に係る連窓又は段窓における嵌め殺し窓構造は、左右又は上下に連続的に窓枠を設け、これらの一部の窓部を開閉窓とし、他の窓部を嵌め殺し窓とした連窓又は段窓において、嵌め殺し窓に装着される固定障子の周囲には上下框と左右縦框とを框組みし、上記固定障子を上記嵌め殺し窓の内側に収納するときに、固定障子の下框と縦框とをそれぞれ嵌め殺し窓の下枠と縦枠に対し上から下に係合するとともに、固定障子と嵌め殺し窓との間には、固定障子が上方に移動するのを阻止する移動阻止手段を設けたことを特徴とする。
【０００８】
なお、固定障子の下框を嵌め殺し窓の下枠に係合する構成としては、前記固定障子の下框には下方に突出する係合凸部を形成し、前記嵌め殺し窓の下枠には上記固定障子の凸部に対応する位置に係合溝を形成するとともに、上記固定障子を上記嵌め殺し窓の内側に収納するときに、上記下框の係合凸部を下枠の係合溝に係合させるようにすればよい。
【０００９】
また、固定障子の縦框を嵌め殺し窓の縦枠に係合する構成としては、前記固定障子の縦框には外方に突出する突軸を形成し、前記縦枠には、上記固定障子の突軸に対応する位置に突部を形成するとともに、上記固定障子を上記嵌め殺し窓の内側に収納するときに、上記縦框の突軸を上記縦枠の突部の内側に係合させるようにすればよい。
【００１０】
さらに、固定障子の下框を嵌め殺し窓の下枠に係合する他の構成としては、前記固定障子の下框には係合溝を形成し、前記嵌め殺し窓の下枠には上記固定障子の凸部に対応する位置に下方に突出する係合凸部を形成するとともに、上記固定障子を上記嵌め殺し窓の内側に収納するときに、上記下框の係合溝に上記下枠の凸部を係合させるようにしてもよい。
【００１１】
また、固定障子の縦框を嵌め殺し窓の縦枠に係合する他の構成としては、前記固定障子の縦框には突部を形成し、前記縦枠には、上記固定障子の突軸に対応する位置に外方に突出する突軸を形成するとともに、上記固定障子を上記嵌め殺し窓の内側に収納するときに、上記縦框の突部を上記縦枠の突軸の内側に係合させるようにしてもよい。
【００１２】
【発明の実施の形態】
図１は４連窓が上下２段に形成されて段窓を構成している例の正面図で、図２は図１のＸ−Ｘ線上の拡大断面図である。上段と下段の連窓Ａ、Ｂはそれぞれ上下枠１、２と左右の縦枠３とから構成されているとともに、さらに無目５を介して上部窓部Ａ１、Ｂ１と下部窓部Ａ２、Ｂ２とに分割されている。上段と下段の連窓Ａ、Ｂの間は化粧板４で仕切られ、上下段の連窓Ａ、Ｂのそれぞれ左右両側の上部窓部ａは開閉窓（縦辷り出し窓）として構成され、これらを除く窓部ｂは嵌め殺し窓として構成されている。
【００１３】
なお、上記各窓部Ａ１、Ｂ１、Ａ２、Ｂ２は金属部ｐと合成樹脂部ｑとから成る複合窓である。合成樹脂部ｑには、後述の障子１１、１２の周縁部を受ける張出し部６が形成されている。
【００１４】
開閉窓ａは、上框７、下框８と左右の縦框９とにより方形に框組みした框体の内側にガラス１０を装着した可動障子１１を、上部窓部Ａ１、Ｂ１のうち左右両側の窓部ａに、開閉自在（縦辷り出し自在）に取りつけられている。すなわち、図３及び図４に示されるように、各窓部ａの上下にはそれぞれ縦辷り窓用オペレータのオペレータ金具１４が固定され、各オペレータ金具１４に回動自在に設けられたステー１５、１６の先端を可動障子１１の上下框７、８の金具１７に回動自在に取り付け、さらに下部オペレータ金具１４にはオペレータハンドル１８と作動アーム１９と運動変換機構２０が設けられ、可動障子１１の一方の縦框９の上下端に回動自在に設けられた連結アーム２１とオペレータの作動アーム１９とを回動自在に連結している。可動障子１１は上記ステー１５、１６によって縦辷り方向に移動自在に支持され、オペレータハンドル１８を操作してその回転運動を運動変換機構２０により作動アーム１９の水平方向の回動運動に変換させてその角度を変える。これにより、可動障子１１は縦辷りによる開閉動作をする。なお、上記框体は室内外に現われる。
【００１５】
嵌め殺し窓ｂは、可動障子１１と同じ幅寸法の上下框７、８と左右の縦框９とにより方形に框組みした框体の内側にガラス１０を装着した固定障子１２を、上部窓部Ａ１、Ｂ１のうち中央の２つの窓部ｂと下部窓部Ａ２、Ｂ２の窓部ｂに開放不可能に取り付けられている。
【００１６】
すなわち、ガラス１０を上述の例と同じように上下框７、８と左右の縦框９とによって框組みし、さらに図５及び図６に示されるように、両縦框９の外側面に形成された取付溝２２の内側には、突軸２３を有する軸付き金具２４が固定されている。軸付き金具２４の位置は、図５及び図６に示されるように、縦框９の中間部より上部が好ましい。突軸２３は窓部ｂの内方に突出している。また、下框８の下部には、図５及び図７に示されるように、左右両側に１対の下部金具２５が固定されている。下部金具２５の先端には三角形状の係合凸部２６が形成されている。
【００１７】
これに対し、窓部ｂの縦枠３の内側面には、上記軸付き金具２４に対応する位置に係合金具２７が固定されている。係合金具２７は垂直片２８と水平片２９とからＬ字形に形成され、垂直片２８は縦枠３の内側面に固定されているとともに、水平片２９の先端には山形（逆Ｖ字形）の突部３０が形成されている。また、下枠２又は無目５の上面には、上記固定障子１２の下部金具２５に対応する位置に係合溝３１が形成されている。なお、上記突部３０の屋内側の斜面には突軸２３の周面を受けるための凹部３２が形成されている。また、上記突部３０は屋外側が傾斜し、屋内側は垂直な鋸歯状に形成してもよい。
【００１８】
上記固定障子１２を嵌め殺し窓ｂに固定するときは、まず図５に示されるように、固定障子１２を斜めに持ち上げて、その下框の下部金具２５の係合凸部２６を窓部ｂの係合溝３１に係合させる。次に、この係合部を支点にして固定障子１２を起こし、両側の縦框９の突軸２３を縦枠３に設けられた係合金具２７の突部３０の上面に当てる。そして、強く押し込むと、上記突軸２３は係合金具２７の突部３０を乗り越えて内側に進むので、図６及び図７に示されるように、突軸２３は係合金具２７の突部３０に対して上から下に係合するとともに、固定障子１２は窓部ｂの張出し部６に当接し、窓部ｂ内に納まって仮り止めされる。突軸２３が係合金具２７の突部３０を乗り越えるとき、係合凸部２６が係合溝３１から外れないように構成しておく。その後、固定障子１２の上框７の屋内側に合成樹脂製のストッパ３３（移動阻止手段）を固定する。このとき、該ストッパ３３の上面を窓部ｂの上枠１の張出し部６の下面に当接するように固定する。
【００１９】
上記構成によれば、固定障子１２は上方に持ち上げられると、窓部ｂから外すことができるが、しかしストッパ３３によって上方に移動するのが阻止されるから、窓部ｂに固定された状態となり、嵌め殺し窓が完成する。なお、上記框体も室内外に現われる。
【００２０】
上記構成によれば、開閉窓の可動障子１１も嵌め殺し窓の固定障子１２もともに框組みされているので、外観的には上記両窓が同じ形状のものとして認識され、不自然さがなく、意匠性が向上する。
【００２１】
また、固定障子１２の固定は、下框８の下部金具２５の係合凸部２６を窓部ｂの上枠の係合溝３１に係合させるとともに、固定障子１２の押し込み及びストッパ３３の固定によって行なわれ、ねじ込みなどの面倒な作業はほとんどないから、障子取りつけ作業を容易かつ迅速に行なうことができる。したがって、固定障子１２を窓部ｂに効果的に固定することができる。
【００２２】
なお、上述の例とは逆に、固定障子１２の下框に係合溝３１、下枠（又は無目）に下部金具２５を取りつけ、縦枠３に係止穴を形成してもよい。
【００２３】
なお、移動阻止手段は上述のストッパ構成でなくてもよい。固定障子１２が上方に移動するのを阻止する手段であればよい。
【００２４】
また、上記軸付き金具２４と係合金具２７は２個又はそれ以上設けてもよい。下框の下部金具と窓部の上枠の係合溝も同様で、上記例に限定されない。
【００２５】
さらに、固定障子の下框と嵌め殺し窓の下枠との係合については、固定障子の下框に係合溝を形成し、嵌め殺し窓の下枠には上記固定障子の係合溝に対応する位置に下方に突出する係合係合凸部を形成するとともに、上記固定障子の閉じ時に、上記下框の係合溝に上記下枠の係合凸部を係合させるように構成してもよい。
【００２６】
また、固定障子の縦框と嵌め殺し窓の縦枠との係合についても、固定障子の縦框にはＶ字形の突部を形成し、縦枠には、上記突部に対応する位置に外方に突出する突軸を形成するとともに、上記固定障子の閉じ時に、上記縦框の突部を上記縦枠の突軸の内側に係合させるように構成してもよい。
【００２７】
【発明の効果】
請求項１に係る発明によれば、固定障子を上記嵌め殺し窓の内側に収納するときに、固定障子の下框と縦框とをそれぞれ嵌め殺し窓の下枠と縦枠に上から下に係合するとともに、固定障子と嵌め殺し窓との間には、固定障子が上方に移動するのを阻止する移動阻止手段を設けたので、固定障子は開閉不可能となる。
【００２８】
したがって、開閉窓の可動障子も嵌め殺し窓の固定障子もともに框組みされ、框が外部に現われるので、外観的には上記両窓が同じ形状のものとして視認され、不自然さがなく、意匠性が向上する。
【００２９】
また、固定障子の固定は、係止によって行なわれ、ねじ込みなどの面倒な作業は殆どないから、固定障子を窓部に効果的に固定することができる。
【００３０】
請求項２に係る発明によれば、固定障子を嵌め殺し窓の内側に収納するときに、固定障子の下框を嵌め殺し窓の下枠に対し上から下に係合する際に、上記下框の係合凸部を下枠の係合溝に係合させたので、固定障子の下框を安定させた状態で収納することができる。
【００３１】
請求項３に係る発明によれば、固定障子を嵌め殺し窓の内側に収納するときに、固定障子の縦框を嵌め殺し窓の縦枠に対し上から下に係合する際に、上記縦框の突軸を上記縦枠の突部の内側に係合させたので、固定障子が倒れるのを防ぐことができ、安定させた状態で収納することができる。
【００３２】
請求項４に係る発明によれば、請求項２に係る発明と同様の効果をえることができ、請求項５に係る発明によれば、請求項３に係る発明と同様の効果をえることができる。
固定障子を嵌め殺し窓の内側に収納するときに、固定障子の下框を嵌め殺し窓の
【図面の簡単な説明】
【図１】段窓と連窓の正面図
【図２】図１のＸ−Ｘ線上の断面図
【図３】可動障子と開閉窓部の斜視図
【図４】オペレータと可動障子の縦框との連結態様説明図
【図５】固定障子の取りつけ態様を示す縦断面図
【図６】固定障子の固定状態を示す一部横断面図
【図７】固定障子の固定状態を示す縦断面図
【符号の説明】
ａ  開閉窓
ｂ  嵌め殺し窓
１１  可動障子
１２  固定障子
２０  係合溝
２４  係合凸部
【図１】
2004183288.tif 000003
【図２】
2004183288.tif 000004
【図３】
2004183288.tif 000005
【図４】
2004183288.tif 000006
【図５】
2004183288.tif 000007
【図６】
2004183288.tif 000008
【図７】
2004183288.tif 000009